(57)【要約】      （修正有）【課題】建物の構造壁面が多少の凹凸があっても、タイルと建物の構造壁面の間に詰め物（スペーサ等）を充填することなく、タイルを容易、迅速に、そして緩み、ガタ等が生じることなく、強固に固定する、タイルの取付構造を提供する。【解決手段】タイルの取付構造１は、建物の構造壁面８に取り付けられる吊持具７と、タイル２の裏面４に形成された係合孔３に係合して取り付けられるタイル取付具６とを備え、タイル取付具６が、吊持具７に吊持されてタイル２が建物の構造壁面８に取り付けられ、吊持具７は、コイルばね２０を有する本体部１３、下端フック部１４及び上端取付部１５を一体で備え、下端フック部１４は、タイル取付具６を引っ掛けて吊持し、上端取付部１５は、建物の構造壁面８に取り付ける。【選択図】図１
0003235298.tif 000002
【実用新案登録請求の範囲】
【請求項１】
建物の構造壁面に取り付けられる吊持具と、タイルの裏面に形成された係合孔に係合して取り付けられるタイル取付具と、を備え、タイル取付具が、吊持具に吊持されてタイルが建物の構造壁面に取り付けられて成るタイルの取付構造であって、
吊持具は、コイルばねを有する本体部、下端フック部及び上端取付部を一体で備えており、
下端フック部は、タイル取付具を引っ掛けて吊持し、
上端取付部は、建物の構造壁面に取り付けられている構成であることを特徴とするタイルの取付構造。
【請求項２】
建物の構造壁面に取り付けられる吊持具と、タイルの裏面に形成された係合孔に係合して取り付けられるタイル取付具と、を備え、タイル取付具が、吊持具に吊持されてタイルが建物の構造壁面に取り付けられて成るタイルの取付構造であって、
吊持具は、コイルばねを有する本体部、下端フック部及び上端取付部を一体で備えており、
本体部は、コイルばねと、コイルばねの下側に設けられ下端で下端フック部に連続する下杆と、コイルばねの上側に設けられ上側で上端取付部に連続する上杆と、から成り、
タイル取付具は、板状の取付具本体と、水平部を有するフック部と、を備え、水平部には上下方向に貫通する挿通孔が形成されており、
下杆は、挿通孔を挿通され、下端フック部がタイル取付具のフック部を引っ掛けてタイル取付具を吊持し、
上端取付部は、建物の構造壁面に取り付けられている構成であることを特徴とするタイルの取付構造。
【請求項３】
建物の構造壁面に、下端に受け部を有する取付板が固定されており、
吊持具の上端取付部には、装着片が取り付けられており、
装着片が取付板の受け部に係合して吊持具の上端取付部が建物の構造壁面に取り付けられている構成であることを特徴とする請求項１又は２に記載のタイルの取付構造。
【請求項４】
前記取付板の下方に、前記取付板と同じ構造の下位の取付板が固定されており、
タイル取付具のフック部は、下位の取付板の受け部上に載置されて係合される構成であることを特徴とする請求項３に記載のタイルの取付構造。
【請求項５】
建物の構造壁面に取り付けられる吊持具と、タイルの裏面に形成された係合孔に係合して取り付けられるタイル取付具と、を備え、タイル取付具が、吊持具に吊持されてタイルが建物の構造壁面に取り付けられて成るタイルの取付構造であって、
吊持具は、コイルばねを有する本体部、下端フック部及び上端取付部を一体で備えており、
本体部は、コイルばねと、コイルばねの下側に設けられ下端で下端フック部に連続する下杆と、コイルばねの上側に設けられ上側で上端取付部に連続する上杆と、から成り、
タイル取付具は、下側に設けられた固定用コイル部と、上側に設けられた被吊持用コイル部と、を一体に備えており、
固定用コイル部は、タイルに設けられた係合孔に係入されて固定されており、
吊持具の下杆は、タイル取付具の被吊持用コイル部に挿通され、下端フック部が被吊持用コイル部を引っ掛けてタイル取付具を吊持し、
上端取付部は、建物の構造壁面に取り付けられる構成であることを特徴とするタイルの取付構造。
【考案の詳細な説明】
【技術分野】
【０００１】
本考案は、タイルの取付構造に関し、特に、建物のコンクリート等の構造壁面にタイルを落下防止状態で取り付けるタイルの取付構造に関する。
【背景技術】
【０００２】
従来、タイルを、建物のコンクリート等の構造壁面に落下防止状態で取り付けるために、通常は、タイルの裏面に溝を形成し、タイルの裏面と構造壁面との間に、タイルの裏面の溝内も含め、貼り付け材料（例えば、接着剤、モルタル等）を塗布（又は充填）し、タイルを構造壁面に接着することが行われていた。        
【０００３】
このような従来のタイルの取付手段において、タイルとコンクリート等の構造壁面の間に貼り付け材料を塗布（又は充填）してタイルを構造壁面に固定する作業は、タイルが落下する可能性があり、貼り付け材料の塗布（又は充填）のための作業が面倒であり、取付作業は必ずしも効率的ではない。
【０００４】
本考案者は、従来のタイルの取付手段の問題を解決するために、図１０（ａ）に示すようなタイルの取付構造の発明（特許文献１参照）をすでに提案し、その実施を行っている。特許文献１に係る発明において、タイルの取付構造の概略を説明する（この説明では、符号は特許文献１の符号と変えた。）。
【０００５】
特許文献１に係る発明において、タイル２の取付構造５５は、建物の構造壁面８にねじ等の固定具で固定された取付板５６と、タイル２の裏面に形成された係合孔３に係合して取り付けられるタイル取付具６とを有する。
【０００６】
そして、タイル２の裏面４に係合して取り付けられたタイル取付具６を、そのフック部２４で取付板５６の受け部５７に引っ掛けることで、タイル２が建物の構造壁面８に固定されて成る構成である。
【０００７】
本考案は、この特許文献１に示す発明を実施している過程で生じた、後記する課題を解決しようとする考案である。
【先行技術文献】
【特許文献】
【０００８】
【特許文献１】特許第５８０６９１０号
【考案の概要】
【考案が解決しようとする課題】
【０００９】
特許文献１に記載の発明（本明細書では「従来例」という）は、概して、タイルに複雑な加工をすることなく、しかも高価な工具や部品等を使用することなく、簡単な作業で、容易にタイルを、建物の構造壁面に簡単に落下防止状態で取り付けることができるという効果を奏する。
【００１０】
従来例において、建物の構造壁面８がある程度平坦に仕上げられている場合は、上記効果が生じ、作業効率が上がり、タイルの取付構造もきれいに、強固に仕上げることができることは確かである。しかしながら、建物の構造壁面８は、必ずしも、平坦に仕上げられているとは限らない。
【００１１】
即ち、建物の構造壁面８は、通常は、多少の凹凸面がある。凹凸の深さ（高低差）が小さい場合は、問題がないが、図１０（ｂ）に示すように、凹凸面の深さが大きい場合は、建物の構造壁面８に取付板５６をねじ１１で、簡単かつ確実に固定しにくいという問題が生じる。
【００１２】
具体的には、取付板５６は建物の構造壁面８の凸面６０に当接するので、取付板５６におけるねじ１１で固定する部分は、構造壁面との間に隙間６１が生じ、ねじ１１は、そのねじについて決められた所要の深さだけ、ねじ込まれない。
【００１３】
そのために、取付板５６は建物の構造壁面８への取り付け作業が、面倒となり、作業効率を低下し、さらに、取付板５６は建物の構造壁面８にねじ１１によって十分固定されず、ガタついたりして不安定な取り付け状態となり、取付板５６が建物の構造壁面８から離脱し、タイルの剥がれの原因となりかねない。
【００１４】
このような問題を解消するために、建物の構造壁面８の凹凸面の深さが大きい場合（例えば、１０ｍｍ以上）は、取付板５６の建物の構造壁面８への取り付け作業に際して、図１０（ｃ）に示すように、取付板５６と建物の構造壁面８の間に生じる隙間６１に、プラスチック部材等の詰め物（スペーサ）５８を詰め込んでいる。しかしながら、このような不陸修正作業（詰め物を詰め込む作業）を伴うことは、作業効率を低下させている。
【００１５】
本考案は、上記従来例において生じる問題を解決することを目的とするものであり、タイルを、建物の構造壁面に、簡単な作業で、強固に落下防止状態で固定することができるタイルの取付構造を実現することを課題とする。
【課題を解決するための手段】
【００１６】
本考案は、上記課題を解決するために、建物の構造壁面に取り付けられる吊持具と、タイルの裏面に形成された係合孔に係合して取り付けられるタイル取付具と、を備え、タイル取付具が、吊持具に吊持されてタイルが建物の構造壁面に取り付けられて成るタイルの取付構造であって、吊持具は、コイルばねを有する本体部、下端フック部及び上端取付部を一体で備えており、下端フック部は、タイル取付具を引っ掛けて吊持し、上端取付部は、建物の構造壁面に取り付けられる構成であることを特徴とするタイルの取付構造を提供する。
【００１７】
本考案は、上記課題を解決するために、建物の構造壁面に取り付けられる吊持具と、タイルの裏面に形成された係合孔に係合して取り付けられるタイル取付具と、を備え、タイル取付具が、吊持具に吊持されてタイルが建物の構造壁面に取り付けられて成るタイルの取付構造であって、吊持具は、コイルばねを有する本体部、下端フック部及び上端取付部を一体で備えており、本体部は、コイルばねと、コイルばねの下側に設けられ下端で下端フック部に連続する下杆と、コイルばねの上側に設けられ上側で上端取付部に連続する上杆と、から成り、タイル取付具は、板状の取付具本体と、水平部を有するフック部と、を備え、水平部には上下方向に貫通する挿通孔が形成されており、下杆は、挿通孔を挿通され、下端フック部がタイル取付具のフック部を引っ掛けてタイル取付具を吊持し、上端取付部は、建物の構造壁面に取り付けられる構成であることを特徴とするタイルの取付構造を実現する。
【００１８】
建物の構造壁面に、下端に受け部を有する取付板が固定されており、吊持具の上端取付部には、装着片が取り付けられており、装着片が取付板の受け部に係合して吊持具の上端取付部が建物の構造壁面に取り付けられている構成としてもよい。
【００１９】
前記取付板の下方に、前記取付板と同じ構造の下位の取付板が固定されており、タイル取付具のフック部は、下位の取付板の受け部上に載置されて係合される構成としてもよい。
【００２０】
本考案は、上記課題を解決するために、建物の構造壁面に取り付けられる吊持具と、タイルの裏面に形成された係合孔に係合して取り付けられるタイル取付具と、を備え、タイル取付具が、吊持具に吊持されてタイルが建物の構造壁面に取り付けられて成るタイルの取付構造であって、吊持具は、コイルばねを有する本体部、下端フック部及び上端取付部を一体で備えており、本体部は、コイルばねと、コイルばねの下側に設けられ下端で下端フック部に連続する下杆と、コイルばねの上側に設けられ上側で上端取付部に連続する上杆と、から成り、タイル取付具は、下側に設けられた固定用コイル部と、上側に設けられた被吊持用コイル部と、を一体に備えており、固定用コイル部は、タイルに設けられた係合孔に係入されて固定されており、吊持具の下杆は、タイル取付具の被吊持用コイル部に挿通され、下端フック部が被吊持用コイル部を引っ掛けてタイル取付具を吊持し、上端取付部は、建物の構造壁面に取り付けられる構成であることを特徴とするタイルの取付構造を提供する。
【考案の効果】
【００２１】
本考案に係るタイルの取付構造によれば、建物の構造壁面に多少の凹凸があっても、高価な工具や部品等を使用することなく、タイルを建物の構造壁面に、簡単な作業で、容易に、しかも緩みやガタが生じることなく、しっかりと安定し落下防止状態で取り付けることができる、という効果が生じる。
【図面の簡単な説明】
【００２２】
【図１】本考案に係るタイルの取付構造の実施例を示す図であり、（ａ）は全体構成を示し、（ｂ）は要部を示す。
【図２】上記実施例１の吊持具を示す図であり、（ａ）及び（ｂ）正面図及び側面図である。
【図３】上記実施例１のタイル取付具を示す図であり、（ａ）は正面図であり、（ｂ）側面図ある。
【図４】実施例１の取付具に吊持具を挿通して取り付けた状態を示す図である。
【図５】実施例１のタイルの取付構造のタイルを説明する図であり、（ａ）は断面図であり、（ｂ）はタイルの裏面に上下それぞれ２組の係合孔を設けた構成例を示す。
【図６】本考案に係るタイルの取付構造の実施例２を説明する図であり、（ａ）、（ｂ）は取付板の斜視図及び断面図であり、（ｃ）は装着片の斜視図であり、（ｄ）は装着片に吊持具が係合して取り付けられた状態を示す斜視図である。
【図７】（ａ）は上記実施例２のタイルの取付構造を示す図であり、（ｂ）はその一部を示す図である。
【図８】上記実施例２のタイルの取付構造の変形例を示す図であり、（ａ）は取付構造の全体構成を示し、（ｂ）は変形例を従来例に適用した構成を示す。
【図９】本考案に係るタイルの取付構造の実施例３を説明する図であり、（ａ）は取付構造を示す図とその要部Ａの断面図であり、（ｂ）は取付具の斜視図であり、（ｃ）はタイル取付具に吊持具が挿通されて取り付けられた状態を示す斜視図である。
【図１０】従来例を説明する図であり、（ａ）はタイルの取付構造の従来例を示し、（ｂ）は従来例の課題を説明する図であり、（ｃ）は従来例の課題を解消するために、従来行われていた構成を示す図である。
【考案を実施するための形態】
【００２３】
本考案に係るタイルの取付構造を実施するための形態を実施例に基づき図面を参照して、以下説明する。
【実施例】
【００２４】
＜実施例１＞                   
（全体的構成）
本考案に係るタイルの取付構造の実施例１を、図１〜図５を参照して説明する。タイルの取付構造の実施例１は、本考案に係るタイルの取付構造の基本的な構成を示す例である。
【００２５】
実施例１のタイルの取付構造１は、全体的には、図１（ａ）、（ｂ）に示すように、タイル２の裏面４に形成された係合孔３に係合してタイル２に取り付けられるタイル取付具６と、タイル取付具６を吊持する吊持具７とを有する。
【００２６】
そして、このタイルの取付構造１は、タイル２の裏面４にタイル取付具６が取り付けられ、タイル取付具６が吊持具７で吊持され、吊持具７は、建物の構造壁面８にねじ１１等の固定具で固定して取り付けられる。
【００２７】
これによって、タイル２が、タイル取付具６と吊持具７を介して建物の構造壁面８に落下防止状態で取り付けられて成る構成である。固定具としては、ねじ１１以外にも、鋲、釘等のいろいろな手段があるが、本実施例１では、ねじ１１とする。
【００２８】
（構成部材）
本考案に係るタイルの取付構造１を構成する部材について以下説明する。
【００２９】
吊持具：
吊持具７は、図２（ａ）、（ｂ）に示すように、本体部１３と、下端フック部１４と、上端取付部１５と、を一体で備えており、鋼材等の弾性を有する材料で形成されている。
【００３０】
本体部１３は、略直線状に形成された上杆１８及び下杆１９と、上下の杆１８、１９の間に形成されたコイルばね２０と、から成る。下端フック部１４は、下杆１９から上方にフック状に折り曲げられて形成されている。
【００３１】
上端取付部１５は、上杆１８の上端から長円状に曲げられた形状（文房具のクリップのような形状）に形成されている。上端取付部１５は、建物の構造壁面８にねじ１１を通して固定できる形状であれば、円形、楕円、矩形等のいずれでもよいが、本実施例では長円状とした。
【００３２】
吊持具７は、その本体部１３にコイルばね２０が形成されているので、コイルばね２０によって、全方向に、自由かつ弾性的に、伸び、変形しそして元通りの状態に戻ることができる。
【００３３】
より詳細には、吊持具７は、コイルばね２０で弾性的に変形するので、コイルばね２０より下の部分（下端フック部１４及び下杆１９から成る部分）と、上の部分（上端取付部１５及び上杆１８から成る部分）が、互いに対して自由かつ弾性的に、変形しそして元通りの状態に戻る。
【００３４】
このように、本体部１３にコイルばね２０が形成されている吊持具７の構成は、本考案の最も特徴的な構成であり、この構成によって、後記するが、凹凸のある建物の構造壁面８にも、タイル２を容易かつ強固に落下防止状態で取り付けることが可能となる。
【００３５】
吊持具として、本体として、コイルばねが形成されていない単なる直線状の杆材から成り、その下端にタイルへの取付部を設け、その上端に建物の構造壁面８への取付部を設けた構成（ここでは「比較例」という）も考えられる。
【００３６】
しかしながら、そのようなコイルばね２０を備えていない比較例に比較して、本考案のように、本体部１３にコイルばね２０を備えた吊持具７は、コイルばね２０の弾性力によって、取り付け作業がし易いだけでなく、タイル２が強固かつ整然と落下防止状態で取り付けられる点においても、すぐれている。
【００３７】
タイル取付具：
タイル取付具６は、図３（ａ）、（ｂ）に示すように、本体２３とフック部２４から構成される。タイル取付具６の本体２３は、図３（ａ）に示すように、全体の平面形状が矩形である。
【００３８】
タイル取付具６の本体２３の上端部には、上側係合部２５が形成されている。上側係合部２５は、図３（ｂ）に示すように、タイル取付具６を起立した状態で、斜め上方に傾斜しタイル側（フック部２４と反対側）に向けて伸びるように屈曲された傾斜部から成る。
【００３９】
上側係合部２５及び下側係合部２５は、その屈曲の方向、特にこだわらない。例えば、上側係合部２５は、本実施例１では、斜め上方に傾斜して伸びるように屈曲した構成としたが、図示はしないが、例えば、タイル側に向けて水平に伸びるように直角に屈曲された構成としてもよい。
【００４０】
タイル取付具６の本体２３の下端部には下側係合部２６が形成されている。下側係合部２６は、図３（ｂ）に示すように、水平部と垂直部から鉤型に形成されている。
【００４１】
タイル取付具６のフック部２４は、図３（ａ）、（ｂ）に示すように、固定部３１、水平部３２及び垂直部３３から成り、全体の断面形状がクランク状に形成されている。また、フック部２４は、図３（ａ）に示すように、その平面形状は、タイル取付具６の本体２３と略同幅であり矩形をしている。
【００４２】
タイル取付具６におけるフック部２４の水平部３２（略して、「タイル取付具６の水平部３２」ともいう）には、挿通孔３４が形成されている。この挿通孔３４は、吊持具７の下端フック部１４及び下杆１９が、図４に示すように、挿通可能な大きさ（孔の直径）に形成されている。水平部３２にこのような大きさの挿通孔３４が形成されている点は、本考案の特徴的な構成である。
【００４３】
タイル取付具６の本体２３の正面に、図３（ａ）、（ｂ）に示すように、タイル取付具６におけるフック部２４の固定部３１がスポット溶接で固定されている。図４（ａ）、（ｂ）において、３６はスポット溶接部を示す。このような固定手段としては、カシメやボルト等を使用してもよい。
【００４４】
タイル：
図５は、タイル２の裏面４に形成された係合孔３を説明する図である。タイル２の裏面４に形成された係合孔３は、タイル２の横幅方向に伸びるように形成されており、図５（ｂ）に示すように、互いに上下方向に間隔をおき、横幅方向に伸びるように形成された上側係合孔４２及び下側係合孔４３の組み合わせから成る。
【００４５】
上側係合孔４２及び下側係合孔４３の組み合わせから成る係合孔３は、１つのタイル２の裏面４に、そのタイル２の大きさに応じて、１又は複数（図５（ｂ）に示す例では４つ）形成されている。上側係合孔４２及び下側係合孔４３は、それぞれタイル取付具６の上側係合部２５及び下側係合部２６に係合するように形成されている。
【００４６】
（タイルの取付構造）                       
本考案に係るタイルの取付構造１を構成する部材は以上のとおりであるが、これらの部材を備えたタイルの取付構造１について説明する。
【００４７】
タイル２を建物の構造壁面８に取り付けるに際して、吊持具７の下杆１９を、その下端フック部１４からタイル取付具６の水平部３２の挿通孔３４を通し、図４に示すように、吊持具７は、タイル取付具６の水平部３２に取り付けられる。
【００４８】
タイル取付具６の水平部３２の挿通孔３４に挿通されて取り付けられた吊持具７は、その上端取付部１５にねじ１１が挿通され、図１（ａ）、（ｂ）に示すように、建物の構造壁面８にねじ１１がねじ込まれて固定される。
【００４９】
吊持具７を、タイル取付具６の水平部３２の挿通孔３４に挿通することなく、水平部３２に係合する構成としてもよいが、吊持具７を、図４に示すように、タイル取付具６の水平部３２の挿通孔３４に挿通する構成とすると、吊持具７の下端フック部１４は、吊持の際に水平部３２との係合がはずれないので、より確実な吊持が可能となり、タイルは落下防止状態となる。
【００５０】
なお、吊持具７は、建物の構造壁面８に固定する前にタイル取付具６の水平部３２に挿通されて取り付けられているが、タイル取付工程の段取りとしては、吊持具７を、建物の構造壁面８に固定してからタイル取付具６の水平部３２に挿通して取り付けてもよい。
【００５１】
そして、タイル取付具６の上側係合部２５及び下側係合部２６を、それぞれタイルの上側係合孔４２及び下側係合孔４３に係合する。
【００５２】
この状態で、タイル２とタイル取付具６から手を離すと、タイル２とタイル取付具６は自重で降下するが、吊持具７の上端取付部１５は、ねじ１１で建物の構造壁面８に取り付けられており、吊持具７の下端フック部１４がタイル取付具６の水平部３２に係合しているので、図１（ａ）、（ｂ）に示すように、タイル２とタイル取付具６は、吊持具７によって吊持されて落下防止状態に保持される構成となる。
【００５３】
（作用等）
以上の構成から成る本考案に係るタイルの取付構造１の作用等について、以下説明する。
建物の構造壁面８へのタイル２の取り付け作業は、図４に示すように、吊持具７を、タイル取付具６の水平部３２に挿通し取り付けておき、上端取付部１５においてねじ１１で建物の構造壁面８に固定して取り付ける。
【００５４】
そして、タイル取付具６の上側係合部２５及び下側係合部２６を、それぞれタイル２の上側係合孔４２及び下側係合孔４３に係合して、タイル２にタイル取付具６を取り付け、タイル２及びタイル取付具６から手を離す。
【００５５】
すると、タイル２とタイル取付具６は、自重で降下し、吊持具７の下端フック部１４がタイル取付具６の水平部３２に係合し、吊持具７によって吊持された状態となり、タイル２が、建物の構造壁面８に沿って落下防止状態で取り付けられる。
【００５６】
なお、タイル取付具６をタイルの係合孔３に係合する作業は、タイル２を取り付ける施工現場で行ってもよいが、本考案に係るタイルの取付構造１を考慮すると、タイル２の製造側、搬出側等において事前に行えば、施工現場での作業はきわめて簡単となり、短時間の取付施工が可能となる。
【００５７】
ところで、吊持具７は、前記したとおり、コイルばね２０によって、全方向に、自由かつ弾性的に変形し、そして元通りの状態に戻る。このような特性を有する吊持具７によって、本考案では、タイル２が建物の構造壁面８に、強固に安定して整然と落下防止状態で取り付けられる。この点について、次に説明する。
【００５８】
即ち、凹凸面のある建物の構造壁面８であっても、吊持具７はコイルばね２０によって弾性的に変形し、ねじ１１で固定される吊持具７の上端取付部１５は凹凸面に沿うように当接する。これによって、ねじ１１は、その規定されたねじ１１込み深さを満たすようにねじ１１はねじ込まれることが可能である。
【００５９】
従って、吊持具７は、その上端取付部１５において、ねじ１１によって、建物の構造壁面８に、強固かつ安定した状態で固定して落下防止状態で取り付けられ、はずれたりしにくくなる。そして、吊持具７の上端取付部１５と建物の構造壁面８の間には、隙間等が生じることがないので、従来例のように隙間に詰め物（スペーサ等。図１０（ｃ）参照）を充填するような作業の手間は生じない。
【００６０】
また、タイル２とタイル取付具６は、その自重がかかっていても、タイル取付具６におけるフック部２４の水平部３２において、吊持具７の下端フック部１４が係合し吊持されているので落下しない。
【００６１】
タイル２とタイル取付具６の自重によるモーメントは、タイル取付具６の水平部３２と吊持具７の下端フック部１４が係合している部分を中心に、建物の構造壁面８の方向に作用する。
【００６２】
そして、吊持具７はコイルばね２０によって弾性的に変形するので、上記モーメントによって、タイル２とタイル取付具６は、建物の構造壁面８に沿うように寄せて接近しタイルの取り付け向きがばらばらになるようなことはなく、建物の構造壁面８に沿って、強固に整然と落下防止状態で取り付けられる。
【００６３】
さらに、地震等によって建物の外壁ないしタイル２に縦方向、横方向の外力が作用しても、吊持具７はコイルばね２０によって弾性的に変形し、吊持具７は建物の構造壁面８から外れたりすることが抑制される。
【００６４】
また、吊持具７はコイルばね２０によって弾性的に変形して外力を吸収し緩衝するので、地震によって直接タイル２とタイル取付具６へ作用する力が弱められ、タイル２やタイル取付具６が破損したり、タイル２が剥がれたりすることが抑制される。
【００６５】
＜実施例２＞
本考案に係るタイルの取付構造の実施例２について、図６、図７を参照して以下説明する。この実施例２のタイルの取付構造４６は、基本的には実施例１のタイルの取付構造１と同じであるので、ここでは、実施例１と相違する構成を中心に説明する。実施例１と同じ構成、符号は、そのまま記載する。
【００６６】
吊持具７にタイル取付具６を介してタイル２が取り付けられる構成は、実施例１と同じである。しかし、実施例２では、実施例１のように吊持具７の上端取付部１５を直にねじ１１で建物の構造壁面８に固定して取り付ける構成ではなく、吊持具７は、図７（ａ）、（ｂ）に示すように、建物の構造壁面８に、装着片４７と取付板４８を介して取り付けられる構成である。
【００６７】
さらに詳しくは、吊持具７の上端取付部１５を装着片４７に取り付け、この装着片４７を、建物の構造壁面８にねじ１１で固定した取付板４８の受け部４９に引っ掛ける構成であり、これによって、タイル２とタイル取付具６は、建物の構造壁面８に取付られる。
【００６８】
図６（ｃ）、（ｄ）に示すように、装着片４７は板片から成り、その中央部には上下方向に向けて長孔状の取付孔５２が形成されており、その上端部は折り返されて引っ掛け部５３が形成されている。吊持具７の上端取付部１５は、図６（ｄ）に示すように、装着片４７の取付孔５２に挿通されて係合される。
【００６９】
取付板４８は、図６（ａ）、（ｂ）に示すが、基本的には、従来例（特許文献１に記載の発明）の取付板５６（図１０（ａ）参照）の構成と同じ構成であり、水平方向に長い板材から成り、その下端には、上方に折り返された受け部４９が、取付板４８の下縁に沿って形成されている。
【００７０】
しかし、実施例２では、取付板４８は、主に装着片４７を引っ掛ける機能を重視し、引っ掛ける大きさがあればよいとして、その上下方向の幅寸法ｈ（図６（ｂ）参照）を小さくし、建物の構造壁面８の凹凸面に沿って対応できるような構成とした。
【００７１】
取付板４８は、その幅寸法ｈを小さなのものとすれば、建物の構造壁面８に多少の凹凸面があっても、取付板４８を凹部と凸部に渡って跨るようなことはなく、図７（ａ）、（ｂ）に示すように、凹凸面に沿うように当接してねじ止めすることができる。
【００７２】
これによって、図１０（ｂ）、（ｃ）に示すような従来例の問題を解消することができ、取付板４８を固定するねじ１１を所要の深さまでねじ込めるので強固に固定でき、取付板４８が建物の構造壁面８から剥がれるようなことを抑制し、そのような取付板４８を介して、タイル２も強固に安定して落下防止状態で取り付けられる。
【００７３】
また、吊持具７はコイルバネ２０のために、取付板４８は建物の構造壁面８に沿うように弾性的に変形するので、タイル２も建物の構造壁面８に沿って整然ととりつけられる。
【００７４】
さらに、実施例２のタイルの取付構造４６では、吊持具７は、建物の構造壁面８に装着片４７を引っ掛けることによって建物の構造壁面８に容易に落下防止状態で取り付けることができるので、タイル２の取付作業や取替作業の効率が向上する。
【００７５】
（実施例２の変形例）
実施例２のタイルの取付構造４６は、図１０（ａ）に示すような従来例にも適用可能であり、このように適用したタイルの取付構造を、実施例２の変形例であるタイルの取付構造５４として、図８を参照して以下説明する。
【００７６】
即ち、図１０（ａ）に示すように、建物の構造壁面８にそれほど凹凸面がない場合は、従来例のタイルの取付構造５５において、取付板５６はその縦寸法を考慮することなく、構造壁面８に沿って安定し落下防止状態で取り付けられる。
【００７７】
変形例のタイルの取付構造５４は、このように、従来例において、取付板５６が安定した状態で取り付けられる場合に適用する構成である。
【００７８】
変形例のタイルの取付構造５４は、図８（ａ）に示すように、装着片４７を取付板５６の受け部５７に引っ掛けて、吊持具７とタイル２を建物の構造壁面８に取り付け、タイル２は、タイル取付具６、吊持具７、装着片４７及び取付板５６を介して、建物の構造壁面８に取り付けて成る構成である。
【００７９】
このような適用例は、建物の構造壁面８にあまり凹凸面がなく、従来例のタイルの取付構造５５における取付板５６を取り付ける新規な作業において、或いは従来例に示すような取付板５６を利用して取り付けられたタイル２を交換する作業において、装着片４７を取付板５６の受け部５７に引っ掛けるだけで、タイル２を建物の構造壁面８に取り付けることができるので、有用である。
【００８０】
この場合に、タイル取付具６の下端を、図８（ｂ）に示すように、下位の取付板５６の受け部５７に載置すれば、さらにタイルが強固で安定し、落下防止状態で取り付けられたたタイルの取付構造となる。
【００８１】
＜実施例３＞
本考案に係るタイルの取付構造の実施例３を、図９を参照して説明する。この実施例３のタイルの取付構造６５は、実施例１のタイルの取付構造１と比較して、吊持具７は同じ構成であるが、タイル取付具及びタイルの係合孔の構成が異なる。
【００８２】
ここでは、実施例３における実施例１と相違する構成を中心に説明する。実施例１と同じ構成、符号は、そのまま記載する。
【００８３】
実施例３のタイル取付具６６は、図９（ｂ）に示すように、下側に設けられた固定用コイル部６７と、上側に設けられた被吊持用コイル部６８と、を一体に備えている。
【００８４】
タイル７０は、その裏面に、図９（ａ）に示すように、タイル取付具６６の固定用コイル部６７が係入（圧入）されて取り付けられる断面円形の係合孔７１が形成されている。
【００８５】
この係合孔７１の内径は、固定用コイル部６７が外力で弾性的に縮径されて係入（圧入）される程度に、固定用コイル部６７より若干小さい。固定用コイル部６７は、その弾性に抗して外力を加え縮径し係合孔７１に挿入してから、外力を解放すると、弾性的に元の径に戻り係合孔７１に固定される。
【００８６】
タイルの取付構造６５において、固定用コイル部６７がタイル７０の係合孔７１に固定されてタイル取付具６６がタイル７０に固定されている。そして、吊持具７は、その下杆１９とフック部１４が、図９（ｃ）に示すように、タイル取付具６６の被吊持用コイル部６８内を通して下方に延びるように挿通されて取り付けられている。
【００８７】
実施例１の場合と同様に、図９（ａ）に示すように、吊持具７の上端取付部１５をねじ１１で建物の構造壁面８に固定して取付け、タイル７０及びタイル７０に取り付けたタイル取付具６６から手を離せば、自重で降下して、吊持具７の下端フック部１４が被吊持用コイル部６８に引っ掛かる。
【００８８】
これによって、タイル７０及びタイル取付具６６は、吊持具７に吊持されて、建物の構造壁面８に落下防止状態に取り付けられた構成となる。
【００８９】
なお、この実施例３の吊持具７は、実施例２における吊持具７と同様に、建物の構造壁面８に、図７に示すように、装着片４７と取付板４８を介して取り付けられる構成としてもよい。
【００９０】
以上、本考案に係るタイルの取付構造を実施するための形態を実施例に基づいて説明したが、本考案はこのような実施例に限定されるものではなく、実用新案登録請求の範囲の範囲に記載された技術的事項の範囲内でいろいろな実施例があることは言うまでもない。
【産業上の利用可能性】
【００９１】
上記構成の本考案に係るタイルの取付構造は、建物の構造壁面に固定される各種のタイル、サイディングボード等の外装部材、屋根部材等の取付のためにも適用可能である。
【符号の説明】
【００９２】
１  タイルの取付構造
２  タイル
３  タイルの係合孔
４  タイルの裏面
６  タイル取付具
７  吊持具
８  建物の構造壁面
１１  ねじ
１３  吊持具の本体部
１４  吊持具の下端フック部
１５  吊持具の上端取付部
１８  本体部の上杆
１９  本体部の下杆
２０  吊持具のコイルばね
２３  タイル取付具の本体
２４  タイル取付具のフック部
２５  タイル取付具の本体の上側係合部
２６  タイル取付具の本体の下側係合部
３１  タイル取付具のフック部の固定部
３２  タイル取付具のフック部の水平部
３３  タイル取付具のフック部の垂直部
３４  挿通孔
３６  スポット溶接部
４２  タイルの上側係合孔
４３  タイルの下側係合孔
４６  イルの取付構造
４７  装着片
４８  取付板
４９  取付板の受け部
５２  取付孔
５３  引っ掛け部
５４  タイルの取付構造
５５  従来例のタイルの取付構造
５６  取付板
５７  取付板の受け部
５８  詰め物（スペーサ）
６０  建物の構造壁面の凸面
６１  隙間
６５  タイルの取付構造
６６  タイル取付具
６７  固定用コイル部
６８  被吊持用コイル部
７０  タイル
７１  タイルの係合孔
【図１】
0003235298.tif 000003
【図２】
0003235298.tif 000004
【図３】
0003235298.tif 000005
【図４】
0003235298.tif 000006
【図５】
0003235298.tif 000007
【図６】
0003235298.tif 000008
【図７】
0003235298.tif 000009
【図８】
0003235298.tif 000010
【図９】
0003235298.tif 000011
【図１０】
0003235298.tif 000012